(57)【特許請求の範囲】
【請求項１】
液透過性の表面層、液不透過性の裏面層及び該表面層及び該裏面層の間に配置される吸収体を備えると共に、互いに対向する第１端部及び第２端部と、該第１端部及び第２端部に直交し互いに対向する一対の側部と、を有して矩形形状に構成され、ペットの胴回りに巻きつけられた状態で、前記第１端部がペットの身体側に配置されると共に、前記第２端部が前記第１端部の外面に着脱可能に取り付けられるペット用吸収性物品であって、
前記ペット用吸収性物品の長手方向に沿って伸長状態で配置される弾性部材を更に備え、
前記第１端部には、前記第２端部よりも剛性の大きい高剛性部が形成され、
前記第１端部の外面には、複数のフック部が設けられた帯状のテープ部材が取り付けられ、
前記第２端部の内面は、前記テープ部材に係合する係合部材を別途取り付けることなく、少なくとも前記表面層を構成する不織布により構成され、
前記第２端部側は、前記第１端部側と対称に構成されるペット用吸収性物品。
【請求項２】
前記一対の側部における前記表面層側にそれぞれ配置されると共に、外側縁が前記表面層又は前記裏面層に接合され内側縁の少なくとも一部が自由端となった一対のサイドシートと、
前記一対のサイドシートの内面と前記表面層の外面との間に形成される一対のポケット部と、を更に備え、
前記弾性部材は、前記一対のサイドシートそれぞれの内側縁近傍に配置される請求項１に記載のペット用吸収性物品。
【請求項３】
前記弾性部材は、前記一対の側部それぞれに配置される請求項１又は２に記載のペット用吸収性物品。
【請求項４】
前記第２端部の内面は、前記表面層及び／又は前記サイドシートを構成する不織布により構成される請求項２に記載のペット用吸収性物品。
【請求項５】
前記テープ部材は、前記ペット用吸収性物品の幅方向に延びるように、かつ、前記第１端部の端縁から所定の距離内側に離間した位置に取り付けられる請求項１〜４のいずれか１項に記載のペット用吸収性物品。
【発明の詳細な説明】
【技術分野】
【０００１】
本発明は、犬やネコ等のペットの胴回りに巻きつけて用いられるペット用吸収性物品に関する。
【背景技術】
【０００２】
従来、犬やネコ等のペットに用いられるペット用使い捨ておむつが提案されている。このようなペット用使い捨ておむつは、装着状態において、ペットの肛門部及び後足の付け根間に位置する尿道口を覆うことで、ペットの糞及び尿を捕捉している。
【０００３】
ところで、ペットの種類（例えば、胴長短足犬であるミニチュアダックスフンド）によっては、尿道口の位置が後足の付け根間よりも前方に位置する場合がある。また、雄犬は、雌犬に比して、尿道口が前方に位置する。このように、尿道口が後足の付け根間よりも前方に位置するペットに、ペット用使い捨ておむつを装着した場合には、おむつから尿道口が露出してしまい、尿がもれてしまう場合があった。
そこで、矩形形状に構成され、ペットの胴回り部に巻きつけて装着されるペット用吸収性物品が提案されている（例えば、特許文献１参照）。
このような、帯状に構成されたペット用吸収性物品によれば、尿道口の位置にかかわらず、確実に尿道口を覆って装着させられる。
【先行技術文献】
【特許文献】
【０００４】
【特許文献１】特開２００７−２０５３３号公報
【発明の概要】
【発明が解決しようとする課題】
【０００５】
特許文献１で提案されたような、胴回りに巻きつけて用いられるペット用吸収性物品は、例えば、以下の手順でペットに装着される。
まず、ペット用吸収性物品の長手方向の一端部をペットの背中に位置させて、この一端部近傍を装着者の片方の手で押さえる。次いで、一端部を一方の手で押さえたまま、ペット用吸収性物品の他端部を他方の手で持って、ペット用吸収性物品をペットの腹側を覆うように巻きつける。次いで、ペット用吸収性物品の他端部を引っ張って、ペット用吸収性物品の長手方向に沿う側部と、ペットの胴回りとを密着させ、この状態で、ペット用吸収性物品の他端部の内面を一端部の外面に係合させる。これにより、ペット用吸収性物品がペットの胴回りに好適に巻きつけられた状態が保持される。
【０００６】
以上のような、従来のペット用吸収性物品では、ペットの胴回りに装着する場合に、ペット用吸収性物品の他端部を引っ張ると、この他端部を引っ張る力によって、一方の手で押さえているペット用吸収性物品の一端部がめくれ上がってしまう場合があった。装着時に、ペット用吸収性物品の一端部がめくれ上がってしまうと、ペット用吸収性物品の一端部の外面と他端部の内面とを係合させにくくなってしまう。その結果、ペット用吸収性物品のペットの胴回りへの装着が困難になってしまう。
【０００７】
特に、長手方向に沿う側部に、ゴム等の弾性部材が配置されたペット用吸収性物品の場合は、自然状態では、ペット用吸収性物品が長手方向に収縮した形状となっている。そのため、ペット用吸収性物品を引き伸ばした状態で好適にペットの胴回りに沿わせるためには、他端部を強く引っ張る必要がある。このように、ゴム等の弾性部材が配置されたペット用吸収性物品では、他端部を強く引っ張るため、ペット用吸収性物品の一端部は、更にめくれ上がりやすくなってしまい、ペット用吸収性物品のペットの胴回りへの装着は、より困難になってしまう。
【０００８】
従って、本発明は、ペットの胴回りに巻きつける場合に、正しい位置で容易に装着できるペット用吸収性物品を提供することを目的とする。
【課題を解決するための手段】
【０００９】
本発明は、液透過性の表面層、液不透過性の裏面層及び該表面層及び該裏面層の間に配置される吸収体を備えると共に、互いに対向する第１端部及び第２端部と、該第１端部及び第２端部に直交し互いに対向する一対の側部と、を有して矩形形状に構成され、ペットの胴回りに巻きつけられた状態で、前記第１端部がペットの身体側に配置されると共に、前記第２端部が前記第１端部の外面に着脱可能に取り付けられるペット用吸収性物品であって、前記ペット用吸収性物品の長手方向に沿って伸長状態で配置される弾性部材を更に備え、前記第１端部には、前記第２端部よりも剛性の大きい高剛性部が形成されるペット用吸収性物品に関する。
【００１０】
また、ペット用吸収性物品は、前記一対の側部における前記表面層側にそれぞれ配置されると共に、外側縁が前記表面層又は前記裏面層に接合され内側縁の少なくとも一部が自由端となった一対のサイドシートと、前記一対のサイドシートの内面と前記表面シートの外面との間に形成される一対のポケット部と、を更に備え、前記弾性部材は、前記一対のサイドシートそれぞれの内側縁近傍に配置されることが好ましい。
【００１１】
また、前記弾性部材は、前記一対の側部それぞれに配置されることが好ましい。
【００１２】
また、前記第１端部の外面には、複数のフック部が設けられた帯状のテープ部材が取り付けられ、前記第２端部の内面は、前記表面層及び／又は前記サイドシートを構成する不織布により構成されることが好ましい。
【００１３】
また、前記テープ部材は、前記ペット用吸収性物品の幅方向に延びるように、かつ、前記第１端部の端縁から所定の距離内側に離間した位置に取り付けられることが好ましい。
【発明の効果】
【００１４】
本発明のペット用吸収性物品によれば、ペットの胴回りに巻きつける場合に、正しい位置で容易に装着できる。
【図面の簡単な説明】
【００１５】
【図１】本発明の第１実施形態に係るペット用吸収性物品を示す斜視図である。
【図２】第１実施形態のペット用吸収性物品の平面図である。
【図３】図２のＡ−Ａ線断面図である。
【図４】図１のＢ−Ｂ線断面図である。
【図５】図２のＣ−Ｃ線断面図である。
【図６】第１実施形態のペット用吸収性物品をペットに装着する過程を示す図であり、第１端部をペットの背中に位置させた状態を示す図である。
【図７】第１実施形態のペット用吸収性物品をペットに装着する過程を示す図であり、ペットの胴回りに巻いたペット用吸収性物品の第２端部を引っ張って、ペット用吸収性物品をペットの胴回りに密着させる様子を示す図である。
【図８】第１実施形態のペット用吸収性物品をペットに装着する過程を示す図であり、ペット用吸収性物品をペットの胴回りに装着した状態を示す図である。
【図９】第２実施形態のペット用吸収性物品を示す平面図である。
【図１０】第３実施形態のペット用吸収性物品を示す平面図である。
【図１１】図１０のＤ−Ｄ線断面図である。
【図１２】第４実施形態のペット用吸収性物品を示す平面図である。
【図１３】図１２のＥ−Ｅ線断面図である。
【図１４】第５実施形態のペット用吸収性物品を示す平面図である。
【図１５】図１４のＦ−Ｆ線断面図である。
【発明を実施するための形態】
【００１６】
以下、本発明のペット用吸収性物品の好ましい各実施形態について、図面を参照しながら説明する。
まず、第１実施形態のペット用吸収性物品について、図１〜図５を参照しながら説明する。
第１実施形態のペット用吸収性物品１は、図１及び図２に示すように、互いに対向する一対の端部としての第１端部１１及び第２端部１２と、これら第１端部１１及び第２端部１２に直交し互いに対向する一対の側部と、を有して矩形形状に構成され、ペットの胴回り部に巻きつけて装着される。このペット用吸収性物品１は、尿道口が後足の付け根間よりも前方に位置するペット（例えば、ミニチュアダックスフンド等の胴長短足犬）に特に好適に用いられる。
【００１７】
ペット用吸収性物品１は、図１〜図５に示すように、液透過性の表面層を構成する表面シート２と、液不透過性の裏面層３を構成する裏面シート３１及び防水シート３２と、吸収体４と、一対のサイドシート５１，５２と、弾性部材としての第１弾性部材６１及び第２弾性部材６２と、テープ部材としてのフックテープ７と、フックテープ７に係合可能なループ材８と、を備える。
【００１８】
表面シート２は、矩形形状に構成される。この表面シート２は、主として、装着対象のペットの身体に当接する側の面を構成する。表面シート２としては、有孔又は無孔の不織布や多孔性プラスティックシートを用いることができる。
【００１９】
裏面シート３１は、図３〜図５に示すように、表面シート２よりも幅広で、表面シート２と略等しい長さの矩形形状に構成される。裏面シート３１は、ペット用吸収性物品１の反身体側の面を構成する。
防水シート３２は、裏面シート３１よりも幅狭、かつ、表面シート２よりも幅広に構成され、裏面シート３１における表面シート２側の面に配置される。
裏面シート３１及び防水シート３２としては、疎水性の不織布、不透水性のプラスティックフィルム、不織布と不透水性プラスティックフィルムとのラミネートシート、耐水性の高いメルトブローン不織布を強度の強いスパンボンド不織布で挟んだＳＭＳ不織布等を用いることができる。
【００２０】
吸収体４は、図４に示すように、重ね合わせられた表面シート２及び裏面層３の間に介在配置される。吸収体４は、表面シート２及び裏面シート３１よりも幅が狭く、かつ、長さの短い矩形形状に構成される。吸収体４は、図２に示すように、平面視において、表面シート２及び裏面シート３１の幅方向の略中央部に、長手方向の一端側から他端側に亘って配置される。吸収体４としては、フラッフ状パルプ及び高吸収ポリマーを、ティッシュ等のコアラップ材により被覆したものを用いることができる。
吸収体４に用いられるフラッフ状パルプとしては、例えば、化学パルプ、セルロース繊維、レーヨン、アセテート等の人工セルロース繊維が挙げられる。高吸収ポリマーとしては、デンプン系、アクリル酸系、アミノ酸系の粒子状又は繊維状のポリマーが挙げられる。
【００２１】
一対のサイドシート５１，５２は、図２に示すように、細長い矩形形状に構成され、表面シート２の長手方向に沿う側部の身体側にそれぞれ配置される。一対のサイドシート５１，５２の長さは、表面シート２及び裏面シート３１の長さと略等しく構成される。一対のサイドシート５１，５２の外側縁は、図３〜図５に示すように、裏面シート３１の側縁の位置と一致している。一対のサイドシート５１，５２の外側縁側は、裏面シート３１の側部に接合されている。
【００２２】
一対のサイドシート５１，５２の内側縁の一部は、図１及び図４に示すように、自由端となっている。より具体的には、一対のサイドシート５１，５２は、ペット用吸収性物品１をペットに装着する場合に、ペットの身体の前側に配置される前側サイドシート５１と、ペットの身体の後側に配置される後側サイドシート５２と、を備える。
【００２３】
前側サイドシート５１の内側縁は、図３及び図５に示すように、第１端部１１及び第２端部１２において、表面シート２に接合されている。そして、前側サイドシート５１の内側縁は、図４に示すように、第１端部１１及び第２端部１２を除く部分において、自由端となっている。
後側サイドシート５２の内側縁は、図３〜図５に示すように、ペット用吸収性物品１の長手方向ＬＤの全長に亘って自由端となっている。
【００２４】
サイドシート５１，５２としては、撥水性又は疎水性を有するものが好ましく用いられ、具体的には、スパンレース不織布、スパンボンド不織布、サーマルボンド不織布、メルトブローン不織布、ニードルパンチ不織布、エアスルー不織布等の各種不織布を用いることができる。不織布を構成する素材繊維としてはポリエチレン又はポリプロピレン等のオレフィン系、ポリエステル系、ポリアミド系等の合成繊維の他、レーヨンやキュプラ等の再生繊維、綿等の天然繊維を用いることができる。
【００２５】
第１弾性部材６１は、図１及び図２に示すように、前側サイドシート５１及び後側サイドシート５２それぞれの内側縁近傍に配置される。より具体的には、第１弾性部材６１は、図４に示すように、内側縁側で折り返されたサイドシートの間に挟まれると共に、ホットメルト接着剤により伸長状態でサイドシートに固定される。第１弾性部材６１は、図２に示すように、伸長状態において、吸収体４の長手方向の長さよりも長い長さで前側サイドシート５１及び後側サイドシート５２に配置される。
【００２６】
第２弾性部材６２は、図１及び図２に示すように、ペット用吸収性物品１の長手方向ＬＤに沿う一対の側部それぞれに配置される。より具体的には、第２弾性部材６２は、図４に示すように、前側サイドシート５１と裏面シート３１との間、及び後側サイドシート５２と裏面シート３１との間にそれぞれ配置される。また、第２弾性部材６２は、伸長状態で、ホットメルト接着剤により、サイドシート５１，５２及び裏面シート３１に固定される。
第２弾性部材６２は、伸長状態において、吸収体４の長手方向の長さよりも長い長さでペット用吸収性物品１の長手方向ＬＤに沿う一対の側部それぞれに配置される。
【００２７】
第１弾性部材６１及び第２弾性部材６２としては、細長く、伸び縮みする材料であればよく、天然ゴムからなる糸状ゴム、平ゴム等や、ウレタン、エチレン−酢酸ビニル共重合体（ＥＶＡ）、ＰＥ等の熱可塑性エラストマーを用いることができる。更に具体的には、熱可塑性エラストマーとしては、ポリブタジエン、ポリイソプレン、スチレン−ブタジエン共重合体、スチレン−イソプレン共重合体、ポリウレタン、エチレン−酢酸ビニル共重合体、エチレン−αオレフィン共重合体等を糸状に成形するか又はフィルムに成型し細幅にスリットしたものが挙げられる。
【００２８】
フックテープ７は、図１及び図２に示すように、ペット用吸収性物品１の第１端部１１の外面に配置される。フックテープ７は、帯状に構成され、フックテープ７の長手方向がペット用吸収性物品１の幅方向ＷＤに沿うように配置される。また、フックテープ７は、第１端部１１の側縁から所定の距離Ｌ１内側に離間した位置に取り付けられることが好ましい。
フックテープ７は、図３に示すように、帯状の基部７１と、この基部７１の一方の面に設けられる複数のフック部７２と、を備える。フックテープ７は、複数のフック部７２が形成された面が外面となるように、裏面シート３１に取り付けられる。
【００２９】
フックテープ７は、ポリプロピレン等の合成樹脂材により基部７１及び複数のフック部７２が一体的に形成される。フックテープ７は、第１端部１１の曲げ剛性を大きくする観点から、所定の曲げ剛性を有することが好ましい。
【００３０】
フックテープ７のペット用吸収性物品１の幅方向ＷＤに沿う方向の長さＷ１は、第１端部１１の幅方向ＷＤへの曲げ剛性を確保する観点から、前側サイドシート５１に取り付けられた第１弾性部材６１と後側サイドシート５２に取り付けられた第１弾性部材６１との間の長さＷ２よりも長いことが好ましく、吸収体４の幅方向の長さＷ３よりも長いことが更に好ましい。また、フックテープ７のペット用吸収性物品１の幅方向ＷＤに沿う方向の長さＷ１は、ペット用吸収性物品１の装着時の好適なフィット性を保つ観点から、ペット用吸収性物品１の長手方向ＬＤに沿う一対の側部それぞれに配置された第２弾性部材６２間の長さＷ４よりも短いことが好ましい。
また、第１端部１１の端縁からフックテープ７の側縁までの距離Ｌ１は、好ましくは５ｍｍ〜５０ｍｍ、より好ましくは１０ｍｍ〜３０ｍｍである。第１端部１１の端縁からフックテープ７の側縁までの距離Ｌ１が５ｍｍ未満であると、ペット用吸収性物品１をペットに装着した場合に、ペットの体毛がフックテープ７に挟まってしまうおそれがある。また、第１端部１１の端縁からフックテープ７の側縁までの距離Ｌ１が５０ｍｍを超えてしまうと、後述のポケット部１４，１５の長さを十分に確保できない場合がある。
【００３１】
ループ材８は、図１及び図２に示すように、ペット用吸収性物品１の第２端部１２の内面に配置される。ループ材８は、帯状に構成され、ループ材８の長手方向がペット用吸収性物品１の幅方向ＷＤに沿うように配置される。ループ材８は、図５に示すように、帯状の基部８１と、この基部８１の一方の面に設けられる複数のループ部８２と、を備える。ループ材８は、複数のループ部８２が形成された面がペット用吸収性物品１の内面となるように、表面シート２及びサイドシート５１，５２に取り付けられる。
ループ材８は、ポリエステル等の合成樹脂材により基部８１及び複数のループ部８２が一体的に形成される。ループ材８の曲げ剛性は、フックテープ７の曲げ剛性よりも小さく構成される。
【００３２】
以上のペット用吸収性物品１では、第１端部１１におけるフックテープ７を配置した領域の幅方向ＷＤの剛性は、Ｌ  １０８４（フロック加工生地試験方法）に規定されている剛軟度Ａ法（４５度カンチレバー法）により測定した剛軟度が１００ｍｍ〜２００ｍｍであることが好ましい。
そして、第１端部１１におけるフックテープ７を配置した領域の幅方向ＷＤの剛性（剛軟度）は、第２端部１２におけるループ材８を配置した領域の幅方向ＷＤの剛性（剛軟度）よりも大きく構成されている。
【００３３】
以上のペット用吸収性物品１は、第１弾性部材６１がペット用吸収性物品１の長手方向ＬＤに沿って伸長状態で前側サイドシート５１及び後側サイドシート５２に固定されている。また、第２弾性部材６２がペット用吸収性物品１の長手方向ＬＤに沿って伸長状態でサイドシート５１，５２と裏面シート３１との間に固定されている。
そのため、ペット用吸収性物品１は、自然状態（外力を付加しない状態）では、第１弾性部材６１及び第２弾性部材６２が収縮して、図１に示すように、表面シート２側が内面を構成するように第１端部１１と第２端部１２とが近づいた立体的な形状となる。これにより、ペット用吸収性物品１の長手方向ＬＤに沿う一対の側部に、長手方向ＬＤに伸縮可能な一対の胴回りギャザー部１３が形成される（図１参照）。また、前側サイドシート５１及び後側サイドシート５２における自由端側が立ち上がり、前側サイドシート５１の内面と表面シート２の外面との間、及び後側サイドシート５２の内面と表面シート２の外面との間に、それぞれ、ポケット部１４，１５が形成される（図４参照）。
【００３４】
また、ペット用吸収性物品１の第１端部１１には、フックテープ７が配置されており、第２端部１２には、ループ材８が配置されている。そして、フックテープ７の曲げ剛性は、ループ材８の曲げ剛性よりも大きい。そのため、ペット用吸収性物品１の第１端部１１におけるフックテープ７が配置された部分には、第２端部１２におけるループ材８が配置された部分よりも曲げ剛性の大きい高剛性部が形成される。
【００３５】
次に、第１実施形態のペット用吸収性物品１をペットに取り付ける手順について、図６〜図８を参照しながら説明する。図６〜図８は、第１実施形態のペット用吸収性物品１をペットに装着する過程を示す図であり、図６は、第１端部１１をペットの背中に位置させた状態を示す図である。図７は、ペットの胴回りに巻いたペット用吸収性物品１の第２端部１２を引っ張って、ペット用吸収性物品１をペットの胴回りに密着させる様子を示す図であり、図８は、ペット用吸収性物品１をペットの胴回りに装着した状態を示す図である。
【００３６】
まず、図６に示すように、ペット用吸収性物品１の第１端部１１をペットの背中に位置させて、この第１端部１１の近傍を装着者の片方の手で押さえる。次いで、第１端部１１を一方の手で押さえたまま、ペット用吸収性物品１の第２端部１２を他方の手で持って、ペット用吸収性物品１をペットの腹側を覆うように巻きつける。
【００３７】
次いで、図７に示すように、第２端部１２を上方に引っ張って、ペット用吸収性物品１の長手方向に沿う側部と、ペットの胴回りとを密着させる（一対の胴回りギャザー部１３をペットの胴回りの密着させる）。ここで、ペット用吸収性物品１の第１端部１１には、高剛性部が形成されている。これにより、第２端部１２を引っ張って第１弾性部材６１及び第２弾性部材６２を伸長させた場合に、第１端部１１に対して長手方向ＬＤへの引っ張り力が生じても、第１端部１１は、めくれ上がりにくい。
【００３８】
次いで、図８に示すように、第２端部１２の内面に配置されたループ材８を第１端部の外面に配置されたフックテープ７に係合させる。これにより、ペット用吸収性物品１がペットの胴回りに巻きつけられる。
ここで、ペット用吸収性物品１の第２端部１２の曲げ剛性は、第１端部１１の曲げ剛性よりも小さく構成されている。これにより、高剛性の第１端部１１に係止された第２端部１２は、装着後のペットの動きに柔軟に追従できるので、装着後にペットが動いても、第１端部１１と第２端部１２との係合は外れにくい。
【００３９】
以上説明した第１実施形態のペット用吸収性物品１によれば、以下のような作用効果を奏する。
【００４０】
（１）第１実施形態では、ペット用吸収性物品１の長手方向ＬＤに沿う側部に、第１弾性部材６１及び第２弾性部材６２を配置し、自然状態では、ペット用吸収性物品１が長手方向に収縮した形状となっている。そのため、ペット用吸収性物品１を引き伸ばした状態で好適にペットの胴回りに沿わせるために、第２端部１２を強く引っ張る必要がある。そこで、第１端部１１に、第２端部１２よりも剛性の大きい高剛性部を形成した。これにより、第２端部１２を強く引っ張った場合に、第１端部１１に対して長手方向ＬＤへの引っ張り力が生じても、高剛性部の存在により、第１端部１１をめくれ上がりにくくできる。よって、ペット用吸収性物品１をペットの胴回りに巻きつける場合に、第１端部１１と第２端部１２とを容易に係合させられるので、ペット用吸収性物品１を、正しい位置で容易に装着できる。
【００４１】
（２）第２端部１２の曲げ剛性を、第１端部１１の曲げ剛性よりも小さくしたので、高剛性の第１端部１１に係止された第２端部１２を、装着後のペットの動きに柔軟に追従させられる。よって、装着後にペットが動いても、ペット用吸収性物品１を外れにくくできる。
【００４２】
（３）第１端部１１の外面に所定の曲げ剛性を有するフックテープ７を取り付けて高剛性部を形成した。これにより、第１端部１１と第２端部１２とを係合させる部材を用いて容易に高剛性部を形成できる。よって、別途高剛性部を形成するための部材を用いないので、ペット用吸収性物品１の製造コストを低減できる。
【００４３】
（４）フックテープ７を、第１端部１１の端縁から所定距離Ｌ１内側に配置した。これにより、第１端部１１をペットの背中に位置させた状態において、ペットが動いた場合等に、ペットの体毛が第１端部１１の外面に覆いかぶさっても、このペットの体毛をフックテープ７にからみつきにくくできる。よって、ペット用吸収性物品１のペットへの装着性をより向上できる。
【００４４】
（５）フックテープ７の長さＷ１を、第１弾性部材６１間の長さＷ２及び吸収体４の幅方向の長さＷ３よりも長く構成した。これにより、高剛性部を、ペット用吸収性物品１の幅方向Ｗに長く構成できるので、第１端部１１に対して長手方向ＬＤに引っ張り力が生じた場合に、第１端部１１を、よりめくれ上がりにくくできる。
【００４５】
（６）フックテープ７の長さＷ１を、ペット用吸収性物品１の長手方向ＬＤに沿う一対の側部それぞれに配置された第２弾性部材６２間の長さＷ４よりも短く構成した。これにより、一対の胴回りギャザー部１３が形成される位置と長手方向ＬＤに重なる位置に、高剛性部が配置されない。よって、ペット用吸収性物品１の装着時に、高剛性部が一対の胴回りギャザー部１３の動きを阻害しないので、ペット用吸収性物品１の装着時のフィット性を向上できる。
【００４６】
次に、本発明の第２実施形態に係るペット用吸収性物品１について、図９を参照しながら説明する。図９は、第２実施形態のペット用吸収性物品１を示す平面図である。
尚、第２実施形態以降の説明にあたって、同一構成要件については同一符号を付し、その説明を省略もしくは簡略化する。
【００４７】
第２実施形態のペット用吸収性物品１は、第２端部１２にループ材が配置されていない点で、第１実施形態と異なる。
第２実施形態では、表面シート２及びサイドシート５１，５２は、フックテープ７の複数のフック部７２が係合可能な不織布により構成される。即ち、第２実施形態では、第２端部１２の内面は、表面シート２及びサイドシート５１，５２により構成され、これら表面シート２及びサイドシート５１，５２とフックテープ７とが係合される。複数のフック部７２が係合可能な表面シート２としては、エアスルー不織布やポイントボンド不織布が挙げられる。その中でも、複数のフック部７２との間で好適な係合力を発揮するという観点から、エアスルー不織布を好適に用いることができる。また、エアスルー不織布に対して、後処理として熱エンボス処理を施してもよい。これにより、エアスルー不織布の構成繊維間の接着強度を高められ、複数のフック部７２が係合した場合における耐久性を向上できる。
また、複数のフック部７２が係合可能なサイドシート５１，５２としては、ポイントボンド不織布、スパンボンド不織布、スパンボンド／メルトブロー／スパンボンド不織布等が挙げられる。
【００４８】
第２実施形態のペット用吸収性物品１によれば、上述した（１）〜（６）の作用効果を奏する他、以下のような効果を奏する。
【００４９】
（７）第２端部１２の内面を、表面シート２及びサイドシート５１，５２により構成し、これら表面シート２及びサイドシート５１，５２を、複数のフック部７２が係合可能な不織布により構成した。これにより、第２端部１２にループ材を取り付けることなく、第１端部１１と第２端部１２とを係合させられるので、ペット用吸収性物品１の製造コストを低減できる。また、第２端部１２にループ材を取り付けることなく、第１端部１１と第２端部１２とを係合させられるので、第２端部１２の曲げ剛性をより小さくできる。よって、ペット用吸収性物品１の装着後のペットの動きに対する第２端部１２の追従性をより向上できる。
【００５０】
次に、本発明の第３実施形態に係るペット用吸収性物品１について、図１０及び図１１を参照しながら説明する。図１０は、第３実施形態のペット用吸収性物品１を示す平面図であり、図１１は、図１０のＤ−Ｄ線断面図である。
第３実施形態のペット用吸収性物品１は、主として、吸収体４の配置において、第２実施形態と異なる。
【００５１】
第３実施形態では、図１０及び図１１に示すように、吸収体４は、第１端部１１まで延びて配置されている。そして、第２端部１２には、吸収体４は配置されていない。即ち、第３実施形態では、第１端部１１に吸収体４が配置されることで、高剛性部が形成されている。
第３実施形態のペット用吸収性物品１によれば、上述した（１）、（２）及び（７）の作用効果を奏する他、以下のような作用効果を奏する。
【００５２】
（８）第１端部１１まで吸収体４を延出させることで高剛性部を形成した。これにより、既存の吸収体４を利用して容易に高剛性部を形成できる。よって、別途高剛性部を形成するための部材を用いないので、ペット用吸収性物品１の製造コストを低減できる。
【００５３】
次に、本発明の第４実施形態に係るペット用吸収性物品１について、図１２及び図１３を参照しながら説明する。図１２は、第４実施形態のペット用吸収性物品１を示す平面図であり、図１３は、図１２のＥ−Ｅ線断面図である。
第４実施形態のペット用吸収性物品１は、主として、第１端部１１及び第２端部１２の構成において、第３実施形態と異なる。
【００５４】
第４実施形態では、図１２及び図１３に示すように、第１端部１１の外面にループ材８が配置され、第２端部１２の内面にフックテープ７が配置されている。
第４実施形態のペット用吸収性物品１によれば、上述した（１）、（２）及び（８）の作用効果を奏する。
【００５５】
次に、本発明の第５実施形態に係るペット用吸収性物品１について、図１４及び図１５を参照しながら説明する。図１４は、第５実施形態のペット用吸収性物品１を示す平面図であり、図１５は、図１４のＦ−Ｆ線断面図である。
第５実施形態のペット用吸収性物品１は、主として、第１端部１１の構成において、第２実施形態と異なる。
【００５６】
第５実施形態では、図１４及び図１５に示すように、第１端部１１の外面には、帯状の補強部材９が配置され、この補強部材９の外面にフックテープ７が配置されている。即ち、第５実施形態では、高剛性部は、補強部材９により構成されている。補強部材９は、ポリプロピレン等の合成樹脂材を、所定の剛性を有するシート状に形成することで構成される。
第５実施形態のペット用吸収性物品１によれば、上述した（１）、（２）及び（７）の作用効果を奏する。
【００５７】
以上、本発明の好ましい各実施形態について説明したが、本発明は、上述した各実施形態に制限されるものではなく、適宜変更が可能である。
例えば、第１実施形態〜第３実施形態、及び第５実施形態では、第１端部１１の外面にフックテープ７を配置し、このフックテープ７を第２端部１２の内面に係合させたが、これに限らない。即ち、所定の曲げ剛性を有するシート状の基部の一方の面に粘着剤が塗布された粘着テープを第１端部の外面に配置し、この粘着テープを第２端部の内面に接着してもよい。この場合、第２端部の内面を、フック部に係合不能なフィルム材により構成してもよい。
【００５８】
また、上述した各実施形態では、前側サイドシート５１の長手方向ＬＤの一端部及び他端部の内側縁を表面シート２に接合し、後側サイドシート５２の内側縁は、表面シート２に接合しなかったが、これに限らない。即ち、前側サイドシート及び後側サイドシートの長手方向ＬＤの一端部及び他端部の内側縁を、いずれも表面シートに接合してもよい。
【００５９】
また、上述した各実施形態では、裏面層３を、裏面シート３１及び防水シート３２の２層により構成したが、これに限らない。即ち、裏面層を、裏面シート又は防水シートのみにより構成してもよい。
【符号の説明】
【００６０】
１  ペット用吸収性物品
２  表面シート（表面層）
３  裏面層
４  吸収体
７  フックテープ（テープ部材）
１１  第１端部
１２  第２端部
１４  ポケット部
１５  ポケット部
５１  前側サイドシート（サイドシート）
５２  後側サイドシート（サイドシート）
６１  第１弾性部材（弾性部材）
６２  第２弾性部材（弾性部材）
【図１】
0005924753.tif 000002
【図２】
0005924753.tif 000003
【図３】
0005924753.tif 000004
【図４】
0005924753.tif 000005
【図５】
0005924753.tif 000006
【図６】
0005924753.tif 000007
【図７】
0005924753.tif 000008
【図８】
0005924753.tif 000009
【図９】
0005924753.tif 000010
【図１０】
0005924753.tif 000011
【図１１】
0005924753.tif 000012
【図１２】
0005924753.tif 000013
【図１３】
0005924753.tif 000014
【図１４】
0005924753.tif 000015
【図１５】
0005924753.tif 000016